(57)【要約】【課題】泡立ちや泡保持効果が良好であり、すすぎが早く、乾燥後の肌の感触に優れたアシルアミノ酸の洗浄剤組成物を提供する【解決手段】  以下の成分（Ａ）、（Ｂ）および（Ｃ）を含有する洗浄剤組成物であって、（Ａ）／（Ｂ）の重量比が０．２〜５かつ（（Ａ）＋（Ｂ））／（Ｃ）の重量比が２．５〜１０．０であることを特徴とする洗浄剤組成物：（Ａ）Ｎ−ラウロイルグリシン又はその塩（Ｂ）Ｎ−ミリストイルグリシン又はその塩（Ｃ）炭素原子数８〜２４のアシル基を有するＮ−アシル酸性アミノ酸又はその塩。【選択図】なし【特許請求の範囲】
【請求項１】
以下の成分（Ａ）、（Ｂ）および（Ｃ）を含有する洗浄剤組成物であって、（Ａ）／（Ｂ）の重量比が０．２〜５かつ（（Ａ）＋（Ｂ））／（Ｃ）の重量比が２．５〜１０．０であることを特徴とする洗浄剤組成物：
（Ａ）Ｎ−ラウロイルグリシン又はその塩
（Ｂ）Ｎ−ミリストイルグリシン又はその塩
（Ｃ）炭素原子数８〜２４のアシル基を有するＮ−アシル酸性アミノ酸又はその塩。
【請求項２】
（Ｃ）の酸性アミノ酸がグルタミン酸またはアスパラギン酸である請求項１に記載の洗浄剤組成物。
【請求項３】
（Ｃ）Ｎ−アシル酸性アミノ酸の塩が、ナトリウム、カリウム及びトリエタノールアミンからなる群から選択される少なくとも一つとの塩である請求項１または２に記載の洗浄剤組成物。
【請求項４】
（Ｃ）が、Ｎ−ラウロイルグルタミン酸、Ｎ−ミリストイルグルタミン酸、Ｎ−ココイルグルタミン酸、それらのナトリウム塩、それらのカリウム塩及びそれらのトリエタノールアミン塩からなる群から選択される少なくとも一つである請求項１〜３のいずれか１項に記載の洗浄剤組成物。
【請求項５】
（Ａ）Ｎ−ラウロイルグリシンの塩が、ナトリウム、カリウム及びトリエタノールアミンからなる群から選択される少なくとも一つとの塩である請求項１〜４のいずれか１項に記載の洗浄剤組成物。
【請求項６】
（Ｂ）Ｎ−ミリストイルグリシンの塩が、ナトリウム、カリウム及びトリエタノールアミンからなる群から選択される少なくとも一つとの塩である請求項１〜５のいずれか１項に記載の洗浄剤組成物。
【請求項７】
液体である請求項１〜６のいずれか１項に記載の洗浄剤組成物。
【請求項８】
ｐＨが６〜１０である請求項７に記載の洗浄剤組成物。
【発明の詳細な説明】
【技術分野】
【０００１】
本発明は、泡の特性やすすぎや洗浄後の感触に優れた洗浄剤組成物に関する。
【背景技術】
【０００２】
近年、身体や毛髪用の洗浄剤に対しては、高い洗浄力だけでなく、皮膚に対する刺激性が低いものや使用感が良好なものが望まれている。なかでもアミノ酸系の洗浄剤成分に注目が集まっているが、例えばアシル酸性アミノ酸とアシル中性アミノ酸を組み合わせた洗浄剤（特許文献１、２）やＮ−ラウロイルグリシン塩とＮ−ミリストイルグリシン塩を組み合わせた洗浄剤（特許文献３）が検討されている。しかし泡立ち等に問題がある場合や、例えばアシル酸性アミノ酸の中でも、しっとり感を付与するマイルド性を特徴とするアシルグルタミン酸塩の配合量が多い場合は、すすぎを遅くし、ぬめり感を付与することが知られている。
【先行技術文献】
【特許文献】
【０００３】
【特許文献１】特開平5-156287号公報
【特許文献２】特開平11-323379号公報
【特許文献３】特開2001-31993号公報
【発明の概要】
【発明が解決しようとする課題】
【０００４】
本発明は、泡立ちや泡保持効果が良好であり、すすぎが早く、乾燥後の肌の感触に優れた洗浄剤組成物を提供することを目的とする。
【課題を解決するための手段】
【０００５】
本発明者らは上記課題を解決するために鋭意研究を重ねた結果、Ｎ−ラウロイルグリシン又はその塩、Ｎ−ミリストイルグリシン又はその塩、及び特定のＮ−アシル酸性アミノ酸又はその塩を特定の他成分と配合し、特定の配合比の組成物とすることで泡立ちや泡保持効果に優れ、すすぎが早く、乾燥後はさっぱりするがしっとり感を感じるなど、感触に優れた洗浄剤組成物が得られることを見出し、本発明を完成した。
【０００６】
すなわち、本発明は以下の通りである。
［１］以下の成分（Ａ）、（Ｂ）および（Ｃ）を含有する洗浄剤組成物であって、（Ａ）／（Ｂ）の重量比が０．２〜５かつ（（Ａ）＋（Ｂ））／（Ｃ）の重量比が２．５〜１０．０であることを特徴とする洗浄剤組成物：
（Ａ）Ｎ−ラウロイルグリシン又はその塩
（Ｂ）Ｎ−ミリストイルグリシン又はその塩
（Ｃ）炭素原子数８〜２４のアシル基を有するＮ−アシル酸性アミノ酸又はその塩。
［２］（Ｃ）の酸性アミノ酸がグルタミン酸またはアスパラギン酸である［１］に記載の洗浄剤組成物。
［３］（Ｃ）Ｎ−アシル酸性アミノ酸の塩が、ナトリウム、カリウム及びトリエタノールアミンからなる群から選択される少なくとも一つとの塩である［１］または［２］に記載の洗浄剤組成物。
［４］（Ｃ）が、Ｎ−ラウロイルグルタミン酸、Ｎ−ミリストイルグルタミン酸、Ｎ−ココイルグルタミン酸、それらのナトリウム塩、それらのカリウム塩及びそれらのトリエタノールアミン塩からなる群から選択される少なくとも一つである［１］〜［３］のいずれかに記載の洗浄剤組成物。
［５］（Ａ）Ｎ−ラウロイルグリシンの塩が、ナトリウム、カリウム及びトリエタノールアミンからなる群から選択される少なくとも一つとの塩である［１］〜［４］に記載の洗浄剤組成物。
［６］（Ｂ）Ｎ−ミリストイルグリシンの塩が、ナトリウム、カリウム及びトリエタノールアミンからなる群から選択される少なくとも一つとの塩である［１］〜［５］に記載の洗浄剤組成物。
［７］液体である［１］〜［６］に記載の洗浄剤組成物。
［８］ｐＨが６〜１０である［７］に記載の洗浄剤組成物。
【発明の効果】
【０００７】
本発明によれば、泡立ち、泡保持といった起泡力やすすぎが早いなど使用性に優れた洗浄剤組成物を提供することができる。
本発明によれば、洗浄後、さっぱりとしているにもかかわらず保湿性を残したしっとりとした洗い上がりを付与することができる洗浄剤組成物を提供することができる。
【発明を実施するための形態】
【０００８】
本発明は、
（Ａ）Ｎ−ラウロイルグリシン又はその塩、（Ｂ）Ｎ−ミリストイルグリシン又はその塩及び（Ｃ）炭素原子数８〜２４のアシル基を有するＮ−アシル酸性アミノ酸又はその塩を特定の割合で配合する洗浄剤組成物に関する（以下本発明の洗浄剤組成物と略することもある）。
【０００９】
（Ａ）Ｎ−ラウロイルグリシンの塩としては、リチウム塩、ナトリウム塩、カリウム塩等のアルカリ金属塩；カルシウム塩、マグネシウム塩等のアルカリ土類金属塩；モノエタノールアミン、ジエタノールアミン、トリエタノールアミン（ＴＥＡ）塩等のアルカノールアミン塩；アンモニウム塩；および塩基性有機物塩等が挙げられる。これらのうち、泡立ちや泡保持力に優れたものを得るうえで、アルカリ金属塩およびアルカノールアミン塩が好ましく、ナトリウム塩、カリウム塩、トリエタノールアミン塩がより好ましい。
また成分(Ａ)は、本発明の洗浄剤組成物を調製するときに、Ｎ−ラウロイルグリシンと上記塩を形成する物質（例えば、水酸化ナトリウム、水酸化カリウム、ＴＥＡ等）と一緒に加えて中和し塩の形態としてもよい。
【００１０】
（Ｂ）Ｎ−ミリストイルグリシンの塩としては、リチウム塩、ナトリウム塩、カリウム塩等のアルカリ金属塩；カルシウム塩、マグネシウム塩等のアルカリ土類金属塩；モノエタノールアミン、ジエタノールアミン、トリエタノールアミン（ＴＥＡ）塩等のアルカノールアミン塩；アンモニウム塩；および塩基性有機物塩等が挙げられる。これらのうち、泡立ちや泡保持力に優れたものを得るうえで、アルカリ金属塩およびアルカノールアミン塩が好ましく、ナトリウム塩、カリウム塩、トリエタノールアミン塩がより好ましい。
また成分（Ｂ）は、本発明の洗浄剤組成物を調製するときに、Ｎ−ミリストイルグリシンと上記塩を形成する物質（例えば、水酸化ナトリウム、水酸化カリウム、ＴＥＡ等）と一緒に加えて中和し塩の形態としてもよい。
【００１１】
本発明における成分（Ｃ）Ｎ−アシル酸性アミノ酸又はその塩はＤ体、Ｌ体およびＤＬ体のいずれも使用することができる。またこれらのＮ−アシル酸性アミノ酸又はその塩は、夫々単独で用いてもよいし、２種以上を任意の割合で混合して用いてもよい。
【００１２】
本発明における成分（Ｃ）Ｎ−アシル酸性アミノ酸又はその塩のアシル基は、炭素原子数８〜２４の脂肪酸から誘導されるアシル基であり、炭素原子数８〜２２の脂肪酸から誘導されるアシル基が好ましく、炭素原子数８〜１８の脂肪酸から誘導されるアシル基がより好ましい。当該アシル基としては、例えばラウリン酸、ミリスチン酸、パルミチン酸、ステアリン酸、オレイン酸、イソステアリン酸等や、それらの混合物である牛脂脂肪酸、ヤシ油脂肪酸、パーム核油脂肪酸等から誘導されるアシル基が挙げられ、ラウリン酸、ミリスチン酸又はヤシ油脂肪酸から誘導されるアシル基が好ましく、ラウリン酸又はヤシ油脂肪酸から誘導されるアシル基がより好ましい。
【００１３】
本発明における成分（Ｃ）における酸性アミノ酸としては、酸性アミノ酸であれば特に限定されないが、グルタミン酸、アスパラギン酸等が挙げられ、グルタミン酸、アスパラギン酸が好ましい。
【００１４】
Ｎ−アシル酸性アミノ酸の塩としては、リチウム塩、ナトリウム塩、カリウム塩等のアルカリ金属塩；カルシウム塩、マグネシウム塩等のアルカリ土類金属塩；モノエタノールアミン、ジエタノールアミン、トリエタノールアミン（ＴＥＡ）塩等のアルカノールアミン塩；アンモニウム塩；および塩基性有機物塩等が挙げられる。これらのうち、泡立ちや保存安定性に優れたものを得るうえで、アルカリ金属塩およびアルカノールアミン塩が好ましく、ナトリウム塩、カリウム塩、トリエタノールアミンがより好ましい。
また成分（Ｃ）は、本発明の洗浄剤組成物を調製するときに、Ｎ−アシル酸性アミノ酸と上記塩を形成する物質（例えば、水酸化ナトリウム、水酸化カリウム、ＴＥＡ等）と一緒に加えて中和し塩の形態としてもよい。さらに成分（Ｃ）は、未中和のＮ−アシル酸性アミノ酸を含んでいてもよい。
【００１５】
本発明に用いられるＮ−アシル酸性アミノ酸塩は、具体的には、Ｎ−ラウロイルグルタミン酸、Ｎ−ミリストイルイルグルタミン酸、Ｎ−ココイル（ヤシ油脂肪酸アシル）グルタミン酸、Ｎ−ラウロイルアスパラギン酸、Ｎ−ミリストイルイルアスパラギン酸、Ｎ−ココイルアスパラギン酸のモノナトリウム塩、モノカリウム塩、トリエタノールアミン塩等が挙げられる。これらは１種でも２種以上混合して使用してもよい。なかでもＮ−ラウロイルグルタミン酸、Ｎ−ミリストイルグルタミン酸、Ｎ−ココイルグルタミン酸のナトリウム塩、カリウム塩またはトリエタノールアミン塩、またはそれらの混合物が好ましく、Ｎ−ラウロイルグルタミン酸、Ｎ−ココイルグルタミン酸のカリウム塩、ナトリウム塩またはトリエタノールアミン塩、またはそれらの混合物がより好ましい。
【００１６】
本発明の洗浄剤組成物においては、（Ａ）／（Ｂ）の重量比が０．２〜５であることを特徴とする。（Ａ）／（Ｂ）の重量比は、好ましくは０．３〜３．５であり、より好ましくは０．４〜２．３である。この範囲であれば、使用感等に優れた洗浄剤組成物を提供することができる。
【００１７】
また本発明の洗浄剤組成物においては、（（Ａ）＋（Ｂ））／（Ｃ）の重量比が２．５〜１０．０であることを特徴とする。（（Ａ）＋（Ｂ））／（Ｃ）の重量比は、好ましくは３．０〜９．５であり、より好ましくは３．５〜９．０である。この範囲であれば、使用感、すすぎの速さ、泡保持力、乾燥後のしっとり感等に優れた洗浄剤組成物を提供することができる。
【００１８】
本発明における（Ａ）、（Ｂ）及び（Ｃ）は合成品や市販品を用いることができる。
【００１９】
本発明の洗浄剤組成物の形態としては、特に限定されず、固形、液体、ペースト、ゲル、粉末、顆粒、クリーム等の任意の形態が挙げられる。なかでも取扱いに優れることから、液体、粉末、顆粒が好ましく、液体が特に好ましい。
【００２０】
本発明の洗浄剤組成物が液体洗浄剤組成物の場合のｐＨは、通常６〜１０であるが、７〜１０が好ましく、７．５〜９．５がより好ましい。この範囲であれば使用感に優れた洗浄剤組成物を提供することができる。
本発明の洗浄剤組成物が液体以外の場合のｐＨは、１０％水溶液（２５℃）でのｐＨと定義され、上記ｐＨの範囲に準じる。
【００２１】
本発明の洗浄剤組成物は、自体公知の方法で製造することができる。例えば、上記した各成分の混合物およびその他の添加物を混合し、この混合物を水等の適当な溶媒に、通常、８０〜９０℃で、５分〜１０分加熱して各成分を均一に溶解する。得られた組成物を自体公知の方法により所望の形態の洗浄剤組成物に調製しうる。例えば加熱して各成分を均一に溶解し、これを型に注入し、冷却固化、乾燥熟成を経て、固形洗浄剤組成物を得ることができる。
【００２２】
本発明の洗浄剤組成物が液体の場合、成分（Ａ）、（Ｂ）及び（Ｃ）の総含有量が、通常１５〜４０重量％、好ましくは２０〜３５重量％、より好ましくは２５〜３０重量％になるように適当な溶媒を加えて自体公知の方法で調製することができる。
【００２３】
本発明の洗浄剤組成物において、本発明の効果を阻害しない範囲で通常使用される各種添加剤を添加することができる。
例えば、セチルアルコール、ステアリルアルコール、ベヘニルアルコール、イソステアリルアルコール、オクチルドデカノール、オレイルアルコール、ミリスチルアルコール等の高級アルコール、硬化牛脂脂肪酸、ヤシ油脂肪酸、パーム油脂肪酸等の高級脂肪酸およびその塩（炭素原子数６〜２４の脂肪酸又はその塩を除く）、トリメチルグリシン等の保湿剤、アニオン性界面活性剤（本発明における（Ｃ）を除く）、カチオン性界面活性剤、両性界面活性剤、非イオン性界面活性剤等の界面活性剤、植物油、動物系油脂、天然系油脂誘導体、鉱物系油脂、低級および高級脂肪酸エステル等の合成系油脂、シリコーン化合物、高分子物質、動植物抽出物、アミノ酸、核酸、ビタミン、酵素、抗炎症剤、殺菌剤、防腐剤、抗酸化剤、紫外線吸収剤、キレート剤、制汗剤、酸化染料、ｐＨ調整剤、パール化剤等の化粧品原料基準、化粧品種別配合成分規格、医薬部外品原料規格、日本薬局方、日本薬局外医薬品成分規格、食品添加物公定書等の各種公定書記載の原料等が挙げられる。
【００２４】
本発明の洗浄剤組成物は使用する目的により、シャンプー、洗顔料、ボディシャンプー、ハンドソープ、シェービング剤、台所用洗浄剤、洗濯用洗剤に用いることができる。
【実施例】
【００２５】
以下、実施例により本発明をさらに詳細に説明するが、本発明はこれらの実施例に限定されるものではない。なお本明細書中では、特に断りの無い限り％は重量％を示す。
【００２６】
［洗浄剤組成物の調製］
表１〜４に示す量の各成分を混合し、この混合物を７０〜８０℃に加熱して各成分を均一に溶解する。冷却後、水酸化カリウムを添加しｐＨ９．０に調整し、液体洗浄剤組成物を得た（表中の各成分の値は重量％を示す）。
【００２７】
ラウロイルグリシンカリウム（合成例１）
グリシン４５．９９ｇ（０．６１ｍｏｌ）、ラウリン酸９４．９４（０．４７ｍｏｌ）及び８５％水酸化カリウム２９．０９ｇ（０．４４ｍｏｌ）、精製水３５．３０ｇを混合し、窒素気流下、１５０℃で１５時間反応させた。反応後、得られた生成物のうち１８８．５９ｇを精製水２７４．７１ｇで希釈し、ラウロイルグリシンカリウム水溶液を得た。
【００２８】
ミリストイルグリシンカリウム（合成例２）
グリシン４３．０９ｇ（０．５７ｍｏｌ）、ミリスチン酸１０１．４９（０．４５ｍｏｌ）及び８５％水酸化カリウム２７．２０ｇ（０．４１ｍｏｌ）、精製水３３．０２ｇを混合し、窒素気流下、１５０℃で１５時間反応させた。反応後、得られた生成物のうち１９１．３３ｇを精製水２９０．１８ｇで希釈し、ミリストイルグリシンカリウム水溶液を得た。
【００２９】
ラウロイルグルタミン酸カリウム（合成例３）
Ｌ−グルタミン酸モノナトリウム一水和物２４０ｇ（１．２８ｍｏｌ）を精製水３７７ｍＬに懸濁させ、これに４８％水酸化カリウム１３０．９ｇを添加して、ｐＨ１１．５の水溶液を調製し、１５℃に冷却した。これにラウリン酸クロライド２５９．２ｇと４８％水酸化カリウム水溶液１６５．９ｇを同時に滴下した後、反応系の温度を３０℃に昇温し１．５時間撹拌を続け、さらに７０℃に昇温し１時間撹拌を行い、反応を完結させた。得られた反応物に精製水及び３５％塩酸を加えてｐＨ８．９に調整したラウロイルグルタミン酸カリウム水溶液を得た。
【００３０】
ココイルグルタミン酸カリウム（合成例４）
Ｌ−グルタミン酸モノナトリウム一水和物１２０ｇ（０．６４ｍｏｌ）を精製水１８８．４ｍＬに懸濁させ、これに４８％水酸化カリウム６５．５ｇを添加して、ｐＨ１１．５の水溶液を調製し、１５℃に冷却した。これにヤシ油脂肪酸クロライド１２９．６ｇと４８％水酸化カリウム水溶液８２．９ｇを同時に滴下した後、反応系の温度を３０℃に昇温し１．５時間撹拌を続け、さらに７０℃に昇温し１時間撹拌を行い、反応を完結させた。得られた反応物に精製水及び３５％塩酸を加えてｐＨ８．９に調整したココイルグルタミン酸カリウム水溶液を得た。
【００３１】
上記に従って得られた各洗浄剤組成物について、諸特性を以下の基準で評価した。結果を表１〜４に示した。
【００３２】
［泡立ち、泡保持］
各組成物をイオン交換水にて０．２４％に調整し、５０ｍＬを家庭用ミキサー(商品名「ミルサー」、岩谷産業(株)製)で５秒間撹拌後、静置１分後および５分後の泡量（ｍＬ）を測定した。
【００３３】
「泡量」を１分後の泡量（ｍＬ）を基準に評価した。
◎；260以上
○；240以上260未満
△；230以上260未満
×；230未満以下。
【００３４】
「泡保持」を５分後の泡量（ｍＬ）を測定し、５分後の泡量／１分後の泡量を基準に評価した。
◎；90以上
○；85以上90未満
△；80以上85未満
×；80未満
【００３５】
［使用感］
男女１０名のパネラーにより、各組成物を使用して、40℃の水道水で手洗いを行い、各組成物の泡立ち（泡）、すすぎやすさ、乾燥後の手の感触に関して以下の基準で評価した。
【００３６】
「泡立ち（泡）」に関して、３；良好、２；普通、１；弱い、とした。
「すすぎやすさ」に関して、３；早い、２；普通、１；遅い、とした。
「乾燥後の感触」に関して、３；しっとり感及びさっぱり感がある、２；普通、１；しっとり感やさっぱり感に欠ける、とした。
【００３７】
なお、前記に示す基準による平均値を算出し、平均値により以下の様に評価した。
良好（○）；２．２以上
普通（△）；１．３以上２．２未満
不良（×）；１．３未満。
【００３８】
【表１】
2018009146.tif 000002
【００３９】
【表２】
2018009146.tif 000003
【００４０】
【表３】
2018009146.tif 000004
【００４１】
【表４】
2018009146.tif 000005
【００４２】
実施例１〜１２の洗浄剤組成物は、泡立ちや泡保持に優れ、さらに洗浄剤組成物に要求される良好な使用感を有することが確認された。
【産業上の利用可能性】
【００４３】
本発明により、泡立ちや泡保持に優れ、良好な使用感を有する洗浄剤を提供することができる。